(57)【要約】【課題】背表紙に取り付けられるインデックスの位置を自在に変更することができるファイルを提供する。【解決手段】ファイル本体(110)の背表紙(111)と表紙(112)及び裏表紙(113)との間にはそれぞれスリット(114,115)が形成されている。バンド部材(120)の一面には雄の面ファスナー(133,134)が取り付けられており、ファイル本体(110)の表紙(112)及び裏表紙(113)の内面には雌の面ファスナー(131,132)が取り付けられている。バンド部材(120)をスリット(114,115)に通した後、バンド部材(120)の雄の面ファスナー(133,134)をファイル本体(110)の雌の面ファスナー(131,132)に結合させる。【選択図】図３
2016010852.tif 000002
【特許請求の範囲】
【請求項１】
背表紙と、前記背表紙の一方の側に前記背表紙と連続して形成されている表紙と、前記背表紙の他方の側に前記背表紙と連続して形成されている裏表紙と、を有するファイル本体と、
バンド部材と、
前記バンド部材を前記表紙の内側面及び前記裏表紙の内側面に着脱自在に結合させるバンド部材結合手段と、
を備え、
前記ファイル本体の前記背表紙並びに前記表紙及び前記背表紙の少なくとも何れか一方には相互に間隔を空けて一対のスリットが形成されており、前記スリットは前記バンド部材を通すことができるものであるファイル。
【請求項２】
前記スリットは前記背表紙と前記表紙との境界及び前記背表紙と前記裏表紙との境界に形成されていることを特徴とする請求項１に記載のファイル。
【請求項３】
前記バンド部材結合手段は、前記バンド部材の一面側に取り付けられた雄及び雌の何れか一方の面ファスナーと、前記表紙の内側面及び前記裏表紙の内側面に取り付けられた雄及び雌の他方の面ファスナーと、からなるものであることを特徴とする請求項１または２に記載のファイル。
【請求項４】
前記バンド部材の両端付近には各々バンド保持用スリットが形成されており、
前記バンド部材結合手段は、前記表紙の内側面及び前記裏表紙の内側面に直立している雄ネジ部材と、前記雄ネジ部材に螺合可能な雌ネジが形成されているナット部材と、からなるものであることを特徴とする請求項１または２に記載のファイル。
【請求項５】
前記バンド部材結合手段は、前記表紙の内側面及び前記裏表紙の内側面に取り付けられたクリップ部材からなるものであることを特徴とする請求項１または２に記載のファイル。
【請求項６】
前記バンド部材結合手段は、前記バンド部材の両端にそれぞれ形成されたリング部材と、前記表紙の内側面及び前記裏表紙の内側面に取り付けられ、前記リング部材が係合可能な少なくとも一つのフック部材と、からなるものであることを特徴とする請求項１または２に記載のファイル。
【請求項７】
前記バンド部材にはその長さ方向にわたって複数個の開口が形成されており、
前記バンド部材結合手段は、前記表紙の内側面及び前記裏表紙の内側面に直立して取り付けられ、前記開口に嵌合可能な少なくとも一つのフック部材からなるものであることを特徴とする請求項１または２に記載のファイル。
【請求項８】
前記ファイル本体の前記表紙の内側面及び前記裏表紙の内側面には少なくとも１個の開口が形成されており、
前記バンド部材結合手段は、前記バンド部材の両端に取り付けられ、前記開口に係合可能なフック部材からなるものであることを特徴とする請求項１または２に記載のファイル。
【請求項９】
前記ファイル本体の前記表紙の内側面及び前記裏表紙の内側面に着脱自在に取り付けられたスケール部材をさらに備えることを特徴とする請求項１乃至８の何れか一項に記載のファイル。
【請求項１０】
前記ファイル本体の前記表紙の内側面及び前記裏表紙の内側面には予め目盛りが描かれていることを特徴とする請求項１乃至８の何れか一項に記載のファイル。
【請求項１１】
背表紙と、前記背表紙の一方の側に前記背表紙と連続して形成されている表紙と、前記背表紙の他方の側に前記背表紙と連続して形成されている裏表紙と、を有するファイル本体と、
磁性体からなるバンド部材と、
前記背表紙に形成された磁石層と、
を備えるファイル。
【発明の詳細な説明】
【技術分野】
【０００１】
本発明は整理に適したファイルに関する。
【背景技術】
【０００２】
整理に適したファイルの一つとして特開平５−５０７９１号公報に記載されたものがある。
【０００３】
図１４は同公報に記載されたファイルＦの斜視図である。
【０００４】
図１４に示すように、一組のファイル（または書籍）Ｆ（Ｆ１−Ｆ９）の各背表紙には平行四辺形のインデックスＩ（Ｉ１−Ｉ９）が取り付けられており、全てのファイルＦ１−Ｆ９が正しい順序で整列されると、インデックスＩ１−Ｉ９は全体として１本の連続した傾斜した帯に見えるようになっている。
【０００５】
図１５は、ファイルＦ１−Ｆ９のうち、いくつかのファイルが抜けた状態におけるファイルＦの正面図である。
【０００６】
全てのファイルＦ１−Ｆ９を正しい順序で並べたときには、インデックスＩ１−Ｉ９は斜めに直線状に並ぶので、例えば、５番目のファイルＦ５と８番目のファイルＦ８とが抜き出されると、図１５に示すように、４番目のファイルＦ４と５番目（本来は６番目）のファイルＦ６との間においてインデックスの段差３ができ、同様に、６番目（本来は７番目）のファイルＦ７と７番目（本来は０番目）のファイルＦ９との間においてインデックスの段差４ができる。
【０００７】
このため、２冊のファイルＦ５及びＦ８が抜けていることが一目でわかるとともに、抜けているファイルＦ５及びＦ８を戻すときに、それらのファイルを戻すべき位置を即座に認識することができる。
【０００８】
さらに、ファイルＦ１−Ｆ９が正しい順序で並べられているときに、他の無関係のファイルが混入していると、それも即座に認識することができる。
【０００９】
図１６はインデックスＩの構造の一例を示す斜視図である。
【００１０】
図１６に示すように、インデックスＩを構成するインデックスシート７は、平行四辺形の形状をなす透光性フィルム８と、透光性フィルム８の裏面側に形成された接着剤層（参照符号なし）と、接着剤層上に仮着された剥離紙９と、からなる。
【００１１】
インデックスシート７はファイルＦの背表紙１０の幅に等しくなるように裁断されており、剥離紙９を接着剤層から剥がした後、透光性フィルム８がファイルＦの背表紙１０の所定の位置に貼り付けられる。
【先行技術文献】
【特許文献】
【００１２】
【特許文献１】特開平５−５０７９１号公報
【発明の開示】
【発明が解決しようとする課題】
【００１３】
インデックスＩを構成するインデックスシート７は接着剤層を介してファイルＦの背表紙１０に貼り付けられるため、一旦インデックスシート７が背表紙１０に貼り付けられると、そのインデックスシート７を剥がし取ることはほぼ不可能であり、仮に、インデックスシート７を無理に剥がしたとしても、接着剤層が損傷しているため、そのインデックスシート７を貼り直すことはできない。
【００１４】
このため、図１４乃至図１６に示した従来のファイルは、各インデックスの順序、すなわち、各インデックスの位置を変更する必要性が生じた場合であっても、各インデックスの位置を変更することができないという問題点を有していた。
【００１５】
本発明はこのような従来のファイルにおける問題点に鑑みてなされたものであり、各ファイルの背表紙に取り付けられたインデックスの位置を自在に変更することができるファイルを提供することを目的とする。
【課題を解決するための手段】
【００１６】
上記の目的を達成するため、本発明は、背表紙と、前記背表紙の一方の側に前記背表紙と連続して形成されている表紙と、前記背表紙の他方の側に前記背表紙と連続して形成されている裏表紙と、を有するファイル本体と、バンド部材と、前記バンド部材を前記表紙の内側面及び前記裏表紙の内側面に着脱自在に結合させるバンド部材結合手段と、を備え、前記ファイル本体の前記背表紙並びに前記表紙及び前記背表紙の少なくとも何れか一方には相互に間隔を空けて一対のスリットが形成されており、前記スリットは前記バンド部材を通すことができるものであるファイルを提供する。
【００１７】
本発明に係るファイルの一実施形態においては、例えば、前記スリットは前記背表紙と前記表紙との境界及び前記背表紙と前記裏表紙との境界に形成される。
【００１８】
本発明に係るファイルの一実施形態においては、前記バンド部材結合手段は、例えば、前記バンド部材の一面側に取り付けられた雄及び雌の何れか一方の面ファスナーと、前記表紙の内側面及び前記裏表紙の内側面に取り付けられた雄及び雌の他方の面ファスナーと、から構成される。
【００１９】
本発明に係るファイルの一実施形態においては、前記バンド部材の両端付近には各々バンド保持用スリットが形成されており、前記バンド部材結合手段は、例えば、前記表紙の内側面及び前記裏表紙の内側面に直立している雄ネジ部材と、前記雄ネジ部材に螺合可能な雌ネジが形成されているナット部材と、から構成される。
【００２０】
本発明に係るファイルの一実施形態においては、前記バンド部材結合手段は、例えば、前記表紙の内側面及び前記裏表紙の内側面に取り付けられたクリップ部材から構成される。
【００２１】
本発明に係るファイルの一実施形態においては、前記バンド部材結合手段は、例えば、前記バンド部材の両端にそれぞれ形成されたリング部材と、前記表紙の内側面及び前記裏表紙の内側面に取り付けられ、前記リング部材が係合可能な少なくとも一つのフック部材と、から構成される。
【００２２】
本発明に係るファイルの一実施形態においては、前記バンド部材にはその長さ方向にわたって複数個の開口が形成されており、前記バンド部材結合手段は、例えば、前記表紙の内側面及び前記裏表紙の内側面に直立して取り付けられ、前記開口に嵌合可能な少なくとも一つのフック部材から構成される。
【００２３】
本発明に係るファイルの一実施形態においては、前記ファイル本体の前記表紙の内側面及び前記裏表紙の内側面には少なくとも１個の開口が形成されており、前記バンド部材結合手段は、例えば、前記バンド部材の両端に取り付けられ、前記開口に係合可能なフック部材から構成される。
【００２４】
本発明に係るファイルの一実施形態は、前記ファイル本体の前記表紙の内側面及び前記裏表紙の内側面に着脱自在に取り付けられたスケール部材をさらに備える。
【００２５】
本発明に係るファイルの一実施形態においては、前記ファイル本体の前記表紙の内側面及び前記裏表紙の内側面には予め目盛りが描かれていることが好ましい。
【００２６】
本発明は、さらに、背表紙と、前記背表紙の一方の側に前記背表紙と連続して形成されている表紙と、前記背表紙の他方の側に前記背表紙と連続して形成されている裏表紙と、を有するファイル本体と、磁性体からなるバンド部材と、前記背表紙に形成された磁石層と、を備えるファイルを提供する。
【発明の効果】
【００２７】
図１４乃至図１６に示した従来のファイルにおいては、インデックスＩを構成するインデックスシート７は接着剤層を介してファイルＦの背表紙１０に貼り付けられるため、インデックスシート７を一旦貼り付けると、インデックスシート７を貼り直すことはほぼ不可能であった。
【００２８】
これに対して、本発明に係るファイルにおいては、バンド部材はファイル本体に対して着脱自在に取り付けられているため、バンド部材の位置を変更する必要性が生じた場合には、バンド部材を一旦取り外してから、所望の位置に付け直すことが可能である。このため、複数個の一組のファイルの順序を任意の順序に変更することが可能である。
【図面の簡単な説明】
【００２９】
【図１】本発明の第一の実施形態に係るファイルの内側を示す平面図である。
【図２】本発明の第一の実施形態に係るファイルにおけるバンド部材の平面図である。
【図３】本発明の第一の実施形態に係るファイルの使用状況を示す平面図である。
【図４】バンド部材を取り付けた状態において、本発明の第一の実施形態に係るファイルを外面側から見た場合の斜視図である。
【図５】本実施形態の第一変形例に係るファイルにおける背表紙の部分平面図である。
【図６】本実施形態の第二変形例に係るファイルを外側から見た場合の平面図である。
【図７】本発明の第二の実施形態に係るファイルを内側から見た場合の概略的な斜視図である。
【図８】本発明の第三の実施形態に係るファイルの縦断面図である。
【図９】図９（Ａ）は本発明の第四の実施形態に係るファイルにおけるバンド部材の平面図、図９（Ｂ）は本発明の第四の実施形態に係るファイルにおけるファイル本体の縦断面図である。
【図１０】図１０（Ａ）は本発明の第五の実施形態に係るファイルにおけるバンド部材の平面図、図１０（Ｂ）は本発明の第五の実施形態に係るファイルにおけるファイル本体の縦断面図である。
【図１１】図１１（Ａ）は本発明の第六の実施形態に係るファイルにおけるバンド部材の側面図、図１１（Ｂ）は本発明の第六の実施形態に係るファイルにおけるファイル本体の縦断面図である。
【図１２】本発明の第七の実施形態に係るファイルにおけるファイル本体の平面図である。
【図１３】本発明の第八の実施形態に係るファイルの斜視図である。
【図１４】従来のファイルの斜視図である。
【図１５】図１４に示した複数のファイルのうち、いくつかのファイルが抜けた状態におけるファイルの正面図である。
【図１６】従来のファイルに使用されているインデックスの構造の一例を示す斜視図である。
【発明を実施するための最良の形態】
【００３０】
（第一の実施形態）
図１は本発明の第一の実施形態に係るファイル１００の内側を示す平面図である。
【００３１】
図１に示すように、本実施形態に係るファイル１００は、背表紙１１１と、背表紙１１１の一方の側に背表紙１１１と連続して形成されている表紙１１２と、背表紙１１１の他方の側に背表紙１１１と連続して形成されている裏表紙１１３と、を有するファイル本体１１０と、バンド部材１２０（図２参照。従来のファイルにおけるインデックスに対応するもの）と、バンド部材１２０を表紙１１２の内側面及び裏表紙１１３の内側面に着脱自在に結合させるバンド部材結合手段１３０と、から構成されている。
【００３２】
ファイル本体１１０は、例えば、樹脂でつくられており、背表紙１１１と表紙１１２との境界線及び背表紙１１１と裏表紙１１３との境界線に沿って内側に折り曲げることが可能であるように構成されている。
【００３３】
背表紙１１１の内面側（図１に示されている側）には、例えば、ノート用紙その他のシート状素材を取り付けるためのバインダー（図示せず）が取り付けられる。
【００３４】
図１に示すように、ファイル本体１１０の背表紙１１１と表紙１１２との境界線に沿ってスリット１１４が形成されており、同様に、ファイル本体１１０の背表紙１１１と裏表紙１１３との境界線に沿ってスリット１１５が形成されている。
【００３５】
これらのスリット１１４、１１５はバンド部材１２０を通すことができる幅を有している。また、二つのスリット１１４、１１５は相互に等しい長さを有している。
【００３６】
さらに、表紙１１２の内面側（図１に示されている側）には、背表紙１１１との境界線を始点として、表紙１１２の他端（背表紙１１１とは反対側の端部）に向かって広がる雌の面ファスナー１３１（斜線の領域）が取り付けられている。
【００３７】
同様に、裏表紙１１３の内面側（（図１に示されている側）には、背表紙１１１との境界線を始点として、裏表紙１１３の他端（背表紙１１１とは反対側の端部）に向かって広がる雌の面ファスナー１３２（斜線の領域）が取り付けられている。
【００３８】
図２はバンド部材１２０の平面図である。
【００３９】
図２に示すように、バンド部材１２０は細長いバンド形状をなしており、可撓性を有する素材でつくられている。
【００４０】
バンド部材１２０の両端の各々には、雄の面ファスナー１３３、１３４が取り付けられている。後述するように、バンド部材１２０の雄の面ファスナー１３３、１３４がファイル本体１１０に設けられている雌の面ファスナー１３１、１３２に結合することにより、バンド部材１２０がファイル本体１１０に取り付けられる。すなわち、雌の面ファスナー１３１、１３２と雄の面ファスナー１３３、１３４とがバンド部材結合手段１３０を構成している。
【００４１】
図３は、本実施形態に係るファイル１００の使用状況を示す平面図である。
【００４２】
図３に示すように、バンド部材１２０を二つのスリット１１４、１１５に通し、バンド部材１２０を所定の位置（すなわち、背表紙１１１に対する所定の角度）に配置した後、バンド部材１２０の両端に取り付けられている雄の面ファスナー１３３、１３４の各々をファイル本体１１０に取り付けられている雌の面ファスナー１３１、１３２の各々に結合させる。
【００４３】
図４は、バンド部材１２０を取り付けた状態において、本実施形態に係るファイル１００を外面側から見た場合の斜視図である。
【００４４】
図４に示すように、バンド部材１２０はファイル本体１１０の背表紙１１１の外面側に斜めの帯状に取り付けられている。複数のファイル１００の各々において、バンド部材１２０の各々を相互に異なる所定の位置に取り付けることにより、図１４に示した従来のファイルと同様に、各ファイル１００を正しい順序に並べたときには、各バンド部材１２０が１本の斜線を形成し、各ファイル１００が正しい順序に並べられているか否かを即座に判断することができる。
【００４５】
以上のような構造を有する本実施形態に係るファイル１００によれば、次のような効果を有することができる。
【００４６】
図１４乃至図１６に示した従来のファイルにおいては、インデックスＩを構成するインデックスシート７は接着剤層を介してファイルＦの背表紙１０に貼り付けられるため、インデックスシート７を一旦貼り付けると、インデックスシート７を貼り直すことはほぼ不可能であった。
【００４７】
これに対して、本実施形態に係るファイル１００においては、バンド部材１２０はファイル本体１１０に対して着脱自在に取り付けられているため、バンド部材１２０の位置を変更する必要性が生じた場合には、バンド部材１２０を一旦取り外してから、所望の位置に付けなおすことが可能である。このため、複数個の一組のファイル１００の順序を任意の順序に変更することが可能である。
【００４８】
本実施形態に係るファイル１００は上記の構造に限定されるものではなく、種々の改変が可能である。
【００４９】
雌の面ファスナー１３１、１３２の大きさ及び取り付け位置は任意である。バンド部材１２０に取り付けられている雄の面ファスナー１３３、１３４を取り付けることができる位置に雌の面ファスナー１３１、１３２が存在していればよい。
【００５０】
また、本実施形態に係るファイル１００においては、スリット１１４は背表紙１１１と表紙１１２との境界線に、スリット１１５は背表紙１１１と裏表紙１１３との境界線にそれぞれ形成されているが、他の位置にスリット１１４、１１５を形成することも可能である。
【００５１】
図５は本実施形態の第一変形例に係るファイル１００Ａにおける背表紙１１１の部分平面図である。
【００５２】
図５に示すように、二つのスリット１１４、１１５を相互に平行に背表紙１１１に設けることも可能である。この場合、ファイル１００Ａを外側から見た場合、バンド部材１２０は、背表紙１１１の領域内において、二つのスリット１１４、１１５の間にのみ存在している。
【００５３】
図６は本実施形態の第二変形例に係るファイル１００Ｂを外側から見た場合の平面図である。
【００５４】
図６に示すように、スリット１１４は表紙１１２に、スリット１１５は裏表紙１１３に各々背表紙１１１と平行になるように形成することが可能である。この場合、ファイル１００Ｂを外側から見た場合、バンド部材１２０は、背表紙１１１の全域と、表紙１１２及び裏表紙１１３の一部（具体的には、背表紙１１１の両端とスリット１１４、１１５との間の領域）にわたっている。
【００５５】
また、本実施形態に係るファイル１００においては、雄の面ファスナー１３３、１３４はバンド部材１２０の両端付近の限定された領域にのみ形成されているが、例えば、バンド部材１２０の一面の全領域に形成することも可能である。
【００５６】
本実施形態に係るファイル１００においては、表紙１１２及び裏表紙１１３の内面側に雌の面ファスナー１３１、１３２が、バンド部材１２０に雄の面ファスナー１３３、１３４がそれぞれ設けられているが、表紙１１２及び裏表紙１１３の内面側に雄の面ファスナー１３３、１３４を、バンド部材１２０に雌の面ファスナー１３１、１３２を設けることも可能である。
【００５７】
（第二の実施形態）
図７は本発明の第二の実施形態に係るファイル２００を内側から見た場合の概略的な斜視図である。
【００５８】
本実施形態に係るファイル２００は、第一の実施形態に係るファイル１００と比較して、バンド部材結合手段１３０の構造が異なっている。第一の実施形態に係るファイル１００においては、バンド部材結合手段１３０は雄の面ファスナー１３３、１３４と雌の面ファスナー１３１、１３２とから構成されているのに対して、本実施形態に係るファイル２００においては、バンド部材結合手段１３０は雄ネジ部材２３１とナット部材２３２とから構成されている。
【００５９】
図７に示すように、ファイル本体１１０の表紙１１２の内面側及び裏表紙１１３の内面側には、背表紙１１１の両端から所定の距離をおいて、背表紙１１１と平行に一直線状に複数個の雄ネジ部材２３１が取り付けられている。各雄ネジ部材２３１の間の距離は等間隔である。
【００６０】
ナット部材２３２には雄ネジ部材２３１に螺合可能な雌ネジが形成されている。
【００６１】
本実施形態におけるバンド部材１２０には、両端付近において、バンド保持用スリット２２１、２２２が形成されている。
【００６２】
本実施形態に係るファイル２００は以下のようにして使用される。
【００６３】
先ず、バンド部材１２０を二つのスリット１１４、１１５に通す。
【００６４】
その後、バンド部材１２０を所定の位置（すなわち、背表紙１１１に対する所定の角度）に配置するために、最も適した表紙１１２上の雄ネジ部材２３１及び裏表紙１１３上の雄ネジ部材２３１を選択し、それらの雄ネジ部材２３１にバンド部材１２０のスリット２２１、２２２を通す。これにより、バンド部材１２０は表紙１１２上及び裏表紙１１３上の二つの雄ネジ部材２３１により位置決めされた状態になる。
【００６５】
この後、二つの雄ネジ部材２３１の各々にナット部材２３２を螺合させ、バンド部材１２０を固定する。
【００６６】
本実施形態に係るファイル２００によっても、第一の実施形態に係るファイル１００と同様の効果を得ることができる。
【００６７】
（第三の実施形態）
図８は本発明の第三の実施形態に係るファイル３００の縦断面図である。
【００６８】
本実施形態に係るファイル３００は、第一の実施形態に係るファイル１００と比較して、バンド部材結合手段１３０の構造が異なっている。本実施形態に係るファイル３００においては、バンド部材結合手段１３０はクリップ部材３１０から構成されている。
【００６９】
図８に示すように、表紙１１２の内側面及び裏表紙１１３の内側面にそれぞれクリップ部材３１０が取り付けられている。
【００７０】
クリップ部材３１０は弾性を有する素材でつくられており、開口部を上方に開くと、開口部を下方に閉めようとする弾性力が作用する。
【００７１】
各クリップ部材３１０は背表紙１１１と平行（図８の紙面と垂直な方向）に取り付けられており、背表紙１１１の全長にほぼ等しい長さを有している。
【００７２】
各クリップ部材３１０は開口部を背表紙１１１に向けて取り付けられており、スリット１１４、１１５を通したバンド部材１２０を各クリップ部材３１０の開口部に挿入することにより、クリップ部材３１０がバンド部材１２０を締め付けることにより、バンド部材１２０を固定する。
【００７３】
本実施形態に係るファイル３００によっても、第一の実施形態に係るファイル１００と同様の効果を得ることができる。
【００７４】
なお、クリップ部材３１０は任意の形態のものを用いることができる。例えば、バネを内蔵し、バネの弾性力を利用して、バンド部材１２０を挟み込む構造のクリップ部材を用いることも可能である。
【００７５】
（第四の実施形態）
図９（Ａ）は本発明の第四の実施形態に係るファイル４００におけるバンド部材１２０の平面図、図９（Ｂ）は本発明の第四の実施形態に係るファイル４００におけるファイル本体１１０の縦断面図である。
【００７６】
本実施形態に係るファイル４００は、第一の実施形態に係るファイル１００と比較して、バンド部材結合手段１３０の構造が異なっている。本実施形態に係るファイル４００においては、バンド部材結合手段１３０は、バンド部材１２０の両端にそれぞれ形成されたリング部材４１０と、表紙１１２の内側面及び裏表紙１１３の内側面に取り付けられたフック部材４２０と、から構成されている。
【００７７】
図９（Ｂ）に示すように、フック部材４２０はほぼＬ字型形状をなしており、リング部材４１０が係合可能である。
【００７８】
フック部材４２０は背表紙１１１の両端と平行（図９（Ｂ）の紙面と垂直な方向）に一直線状に等間隔に複数個が配列されている。
【００７９】
本実施形態に係るファイル４００は以下のようにして使用される。
【００８０】
先ず、バンド部材１２０を二つのスリット１１４、１１５に通す。
【００８１】
その後、バンド部材１２０を所定の位置（すなわち、背表紙１１１に対する所定の角度）に配置するために、最も適したフック部材４２０を選択し、そのフック部材４２０にバンド部材１２０のリング部材４１０を引っ掛ける。これにより、バンド部材１２０は表紙１１２上及び裏表紙１１３上の二つのフック部材４２０により位置決めされ、かつ、固定された状態になる。
【００８２】
本実施形態に係るファイル４００によっても、第一の実施形態に係るファイル１００と同様の効果を得ることができる。
【００８３】
（第五の実施形態）
図１０（Ａ）は本発明の第五の実施形態に係るファイル５００におけるバンド部材１２０の平面図、図１０（Ｂ）は本発明の第五の実施形態に係るファイル５００におけるファイル本体１１０の縦断面図である。
【００８４】
本実施形態に係るファイル５００は、第一の実施形態に係るファイル１００と比較して、バンド部材結合手段１３０の構造が異なっている。本実施形態に係るファイル５００においては、バンド部材結合手段１３０は、表紙１１２の内側面及び裏表紙１１３の内側面に直立して取り付けられたフック部材５２０から構成されている。
【００８５】
図１０（Ａ）に示すように、本実施形態におけるバンド部材１２０にはその長さ方向にわたって複数個の円形の開口５１０が等間隔に形成されている。
【００８６】
図１０（Ｂ）に示すように、フック部材５２０はほぼ円柱形状をなしており、フック部材５２０を開口５１０に嵌め込むことが可能である。
【００８７】
フック部材５２０は背表紙１１１の両端と平行（図１０（Ｂ）の紙面と垂直な方向）に一直線状に等間隔に複数個が配列されている。
【００８８】
本実施形態に係るファイル５００は以下のようにして使用される。
【００８９】
先ず、バンド部材１２０を二つのスリット１１４、１１５に通す。
【００９０】
その後、バンド部材１２０を所定の位置（すなわち、背表紙１１１に対する所定の角度）に配置するために、最も適したフック部材５２０を選択し、そのフック部材５２０にバンド部材１２０の開口５１０を嵌め込む。これにより、バンド部材１２０は表紙１１２上及び裏表紙１１３上の二つのフック部材５２０により位置決めされ、かつ、固定された状態になる。
【００９１】
本実施形態に係るファイル５００によっても、第一の実施形態に係るファイル１００と同様の効果を得ることができる。
【００９２】
（第六の実施形態）
図１１（Ａ）は本発明の第六の実施形態に係るファイル６００におけるバンド部材１２０の側面図、図１１（Ｂ）は本発明の第六の実施形態に係るファイル６００におけるファイル本体１１０の縦断面図である。
【００９３】
本実施形態に係るファイル６００は、第一の実施形態に係るファイル１００と比較して、バンド部材結合手段１３０の構造が異なっている。本実施形態に係るファイル４００においては、バンド部材結合手段１３０は、バンド部材１２０の両端に取り付けられたフック部材６１０から構成されている。
【００９４】
図１１（Ａ）に示すように、バンド部材１２０の一方の面には、両端付近において、半球形状のフック部材６１０が取り付けられている。
【００９５】
図１１（Ｂ）に示すように、ファイル本体１１０の表紙１１２及び裏表紙１１３には、背表紙１１１の両端から所定の距離において背表紙１１１の両端と平行（図１１（Ｂ）の紙面と垂直な方向）に一直線状に等間隔に複数個の円形の開口６２０が形成されている。フック部材６１０は開口６２０に嵌め込むことが可能である。
【００９６】
本実施形態に係るファイル５００は以下のようにして使用される。
【００９７】
先ず、バンド部材１２０を二つのスリット１１４、１１５に通す。
【００９８】
その後、バンド部材１２０を所定の位置（すなわち、背表紙１１１に対する所定の角度）に配置するために、最も適した開口６２０を選択し、フック部材６１０をその開口６２０に嵌め込む。これにより、バンド部材１２０は表紙１１２上及び裏表紙１１３上の二つの開口６２０及びフック部材６１０により位置決めされ、かつ、固定された状態になる。
【００９９】
本実施形態に係るファイル５００によっても、第一の実施形態に係るファイル１００と同様の効果を得ることができる。
【０１００】
（第七の実施形態）
図１２は本発明の第七の実施形態に係るファイル７００におけるファイル本体１１０の平面図である。
【０１０１】
本実施形態に係るファイル７００は、第一の実施形態に係るファイル１００と比較して、スケール部材７１０を追加的に備えている。この点を除いて、本実施形態に係るファイル７００は第一の実施形態に係るファイル１００と同一の構造を有している。
【０１０２】
スケール部材７１０は、背表紙１１１の全長とほぼ等しい長さを有する長方形状のシートと、シートの裏面に形成された接着剤層と、から構成されている。
【０１０３】
シートの表面には、一定間隔に目盛りが刻まれている。
【０１０４】
スケール部材７１０は、接着剤層を介して、表紙１１２の内側面及び裏表紙１１３の内側面に背表紙１１１と平行になるように貼り付けられている。なお、スケール部材７１０が占有する領域における雌の面ファスナー１３１、１３２はカットされている。
【０１０５】
本実施形態に係るファイル７００においては、スケール部材７１０によって、バンド部材１２０を固定すべき位置を容易に把握することができる。
【０１０６】
なお、スケール部材７１０を使用することに代えて、表紙１１２の内側面及び裏表紙１１３の内側面に予め目盛りを描いておくことも可能である。
【０１０７】
（第八の実施形態）
図１３は本発明の第八の実施形態に係るファイル８００の斜視図である。
【０１０８】
図１３に示すように、本実施形態に係るファイル８００は、背表紙８１１と、背表紙８１１の一方の側に背表紙８１１と連続して形成されている表紙８１２と、背表紙８１１の他方の側に背表紙８１１と連続して形成されている裏表紙８１３と、を有するファイル本体８１０と、磁性体からなるバンド部材８２０と、ファイル本体８１０の背表紙８１１上に形成された磁石層８３０と、から構成されている。
【０１０９】
ファイル本体８１０は、スリット１１４、１１５が形成されていない点を除いて、第一の実施形態におけるファイル本体１１０と同一の構造を有している。
【０１１０】
バンド部材８２０は背表紙１１１の横幅に等しい長さ（横方向における長さ）を有する平行四辺形の形状をなしており、例えば、鉄シートでつくられている。
【０１１１】
磁石層８３０は背表紙１１１のほぼ全域を覆うように形成されている。
【０１１２】
本実施形態に係るファイル８００においては、バンド部材８２０は所望の位置において、磁石層８３０に貼り付けられる。バンド部材８２０の位置を変更する必要性が生じた場合には、バンド部材８２０を磁石層８３０から取り外し、改めて、バンド部材８２０を他の所望の位置に貼り付けることができる。
【０１１３】
本実施形態に係るファイル８００によっても、第一の実施形態に係るファイル１００と同様の効果を得ることができる。
【符号の説明】
【０１１４】
１００  本発明の第一の実施形態に係るファイル
１１０  ファイル本体
１１１  背表紙
１１２  表紙
１１３  裏表紙
１１４  スリット
１１５  スリット
１２０  バンド部材
１３１  雌の面ファスナー
１３２  雌の面ファスナー
１３３  雄の面ファスナー
１３４  雄の面ファスナー
２００  本発明の第二の実施形態に係るファイル
２３１  雄ネジ部材
２３２  ナット部材
３００  本発明の第三の実施形態に係るファイル
３１０  クリップ部材
４００  本発明の第四の実施形態に係るファイル
４１０  リング部材
４２０  フック部材
５００  本発明の第五の実施形態に係るファイル
５１０  開口
５２０  フック部材
６００  本発明の第六の実施形態に係るファイル
６１０  フック部材
６２０  開口
７００  本発明の第七の実施形態に係るファイル
７１０  スケール部材
８００  本発明の第八の実施形態に係るファイル
８１０  ファイル本体
８２０  バンド部材
８３０  磁石層
【図１】
2016010852.tif 000003
【図２】
2016010852.tif 000004
【図３】
2016010852.tif 000005
【図４】
2016010852.tif 000006
【図５】
2016010852.tif 000007
【図６】
2016010852.tif 000008
【図７】
2016010852.tif 000009
【図８】
2016010852.tif 000010
【図９】
2016010852.tif 000011
【図１０】
2016010852.tif 000012
【図１１】
2016010852.tif 000013
【図１２】
2016010852.tif 000014
【図１３】
2016010852.tif 000015
【図１４】
2016010852.tif 000016
【図１５】
2016010852.tif 000017
【図１６】
2016010852.tif 000018